(57)【要約】【課題】  扱室から下方に落下する脱穀処理物のうち、特に、扱室終端の排塵口からは稈切れ等の多量のわら屑を含む処理物が落下する。これを受け入れる従来のチャフシ−ブ構成のものでは、わら屑が下方に抜け易いため、下方の１番選別ネット（網）の上に落下して１番選別に支障をきたし、選別性能の低下を招く問題がある。本発明は、かかる問題点を解消して、１番選別性能の向上を図ることを目的とする。【解決手段】  本発明は、扱室からの脱穀処理物を受け入れて揺動移送しながらふるい選別するチャフシ−ブであって、少なくとも扱室の始端側下方より扱室の中間部下方に位置する移送棚の終端部位から扱室終端の排塵口下方に至る部位までの一定範囲内をチャフ選別ネットにて構成すると共に、このチャフ選別ネットの一部又は全部にわたって唐箕からの選別風が通過するよう構成してあることを特徴とする。【選択図】図３
2005229830.tif 000002
【特許請求の範囲】
【請求項１】
扱室からの脱穀処理物を受け入れて揺動移送しながらふるい選別するチャフシ−ブであって、少なくとも扱室の始端側下方より扱室の中間部下方に位置する移送棚の終端部位から扱室終端の排塵口下方に至る部位までの一定範囲内をチャフ選別ネットにて構成すると共に、このチャフ選別ネットの一部又は全部にわたって唐箕からの選別風が通過するよう構成してあることを特徴とする脱穀装置。
【請求項２】
前記チャフ選別ネットの下方部位には上方からの処理物を受け入れてふるい選別する１番選別ネットを配置して設け、上方のチャフ選別ネットは送り終端側が低くなるよう下り傾斜姿勢とし、下方の１番選別ネットは送り終端側が高くなるよう上り傾斜姿勢としてあることを特徴とする請求項１記載の脱穀装置。
【請求項３】
前記チャフ選別ネットと１番選別ネットとの間には選別間隔の開度調節が可能な選別制御シ−ブを設けてあることを特徴とする請求項１又は請求項２記載の脱穀装置。
【発明の詳細な説明】
【技術分野】
【０００１】
本発明は、脱穀処理された処理物を揺動移送しながら選別する揺動選別装置を備えた脱穀装置に関し、農業機械の技術分野に属する。
【背景技術】
【０００２】
従来、扱室からの脱穀処理物を受け入れて揺動移送しながらふるい選別する揺動選別装置は、扱室始端側からの処理物を受けて揺動移送する移送棚と、この移送棚の終端に引き続いて設けられたチャフシ−ブと、該チャフシ−ブの終端に続くストロ−ラックと、前記チャフシ−ブの下方に配備された１番選別網等からなる構成であり、そして、上記チャフシ−ブは、複数枚の帯板状のシ−ブ板を等間隔に配置して上部を枢着し、下部が円弧状の長孔に沿って揺動開閉制御するように構成したものが知られている（例えば、特許文献１参照。）。
【特許文献１】特開平７−２７４６９６号公報
【発明の開示】
【発明が解決しようとする課題】
【０００３】
扱室から下方に落下する脱穀処理物のうち、特に、扱室終端の排塵口からは稈切れ等の多量のわら屑を含む処理物が落下する。これを受け入れる従来のチャフシ−ブ構成のものでは、わら屑が下方に抜け易いため、下方の１番選別ネット（網）の上に落下して１番選別に支障をきたし、選別性能の低下を招く問題があった。
【０００４】
本発明は、上記問題点を解消して、１番選別性能の向上を図ることを目的とする。
【課題を解決するための手段】
【０００５】
本発明は、上述した課題を解決するために、次の如き技術手段を講じた。すなわち、請求項１記載の本発明は、扱室からの脱穀処理物を受け入れて揺動移送しながらふるい選別するチャフシ−ブであって、少なくとも扱室の始端側下方より扱室の中間部下方に位置する移送棚の終端部位から扱室終端の排塵口下方に至る部位までの一定範囲内をチャフ選別ネットにて構成すると共に、このチャフ選別ネットの一部又は全部にわたって唐箕からの選別風が通過するよう構成してあることを特徴とする。
【０００６】
扱室の始端から扱室中間までの間より漏下する処理物は、移送棚上に受けられて後方のチャフ選別ネットに送られると共に、扱室中間部位から扱室終端側の排塵口より落下する処理物は、直接このチャフ選別ネット上に受けられてここでふるい選別された後、後続する一部のチャフシ−ブを経て後方のストロ−ラック上に至るものと、このチャフ選別ネットを抜け落ちるものとに別れ、チャフ選別ネットを抜け落ちた処理物は下方の１番選別ネット上に落下してふるい選別される。  特に、扱室終端の排塵口からの排塵処理物は、後続のチャフシ−ブ上に達する前にチャフ選別ネットにてふるい選別され、しかも、この網目を通過する選別風にて風選されるので、下方の１番選別ネット上へのわら屑の漏下が極めて少なくなり、１番選別に支障をきたさず、軽負荷のもとに効率よく選別でき、選別性能が向上することになる。
【０００７】
請求項２記載の本発明は、請求項１において、前記チャフ選別ネットの下方部位には上方からの処理物を受け入れてふるい選別する１番選別ネットを配置して設け、上方のチャフ選別ネットは送り終端側が低くなるよう下り傾斜姿勢とし、下方の１番選別ネットは送り終端側が高くなるよう上り傾斜姿勢としてあることを特徴とする。
【０００８】
処理物の多いチャフ選別ネット上では、わら屑の送りを高めて速やかに処理することができ、１番選別ネット上では、わら屑が少ないため、送りに抵抗をかけて分離を促進することができる。
【０００９】
請求項３記載の本発明は、請求項１又は請求項２において、前記チャフ選別ネットと１番選別ネットとの間には選別間隔の開度調節が可能な選別制御シ−ブを設けてあることを特徴とする。
【００１０】
チャフ選別ネットよりふるい落とされる処理物は、下方の１番選別ネット上への落下途中で選別制御シ−ブによって更に選別制御されるので、わら屑の漏下が更に少なくなり、１番選別が精度よく効果的に行われる。
【発明の効果】
【００１１】
要するに、請求項１の本発明によれば、特に、わら屑量の多い扱室終端の排塵口から落下する排塵処理物の選別は、従来型のチャフシ−ブによるのではなく、この前端側に設けられたチャフ選別ネットによってふるい選別するものであり、しかも、この網目を通過する選別風との共同作用によって選別するものであるから、下方の１番選別ネット上へのわら屑の漏下が極めて少なくなり、１番選別に支障をきたさず、軽負荷のもとに効率よく選別でき、選別性能の向上を図ることができるに至った。
【００１２】
また、請求項２の本発明によれば、請求項１の発明効果を奏するものでありながら、処理物の多いチャフ選別ネット上では、下り傾斜によってわら屑の送りを促進して速やかに処理することができ、１番選別ネット上では、わら屑が少ないため、上り傾斜によって送りに抵抗をかけながら処理し、処理物相互の分離を促進することができる。
【００１３】
更に、請求項３の本発明によれば、請求項１又は請求項２の発明効果を奏するものでありながら、チャフ選別ネットからふるい落とされる処理物が下方の１番選別ネット上への落下途中で、更に選別制御シ−ブの作用を受けるので、１番選別ネット上へのわら屑の漏下が更に少なくなり、１番選別が精度よく効果的に行われ、選別性能が一段と向上することになる。
【発明を実施するための最良の形態】
【００１４】
以下、本発明の実施例を図面に基づいて具体的に説明する。
【００１５】
まず、図１に示すコンバインの構成について述べる。
【００１６】
走行クロ−ラ１を具備する車体２上には、前部に昇降可能な刈取部３を、後部に脱穀装置（脱穀機）４を搭載している。刈取部３の横側部には運転席５等を有する運転部が設置され、その後方にはグレンタンク６が装備されている。
【００１７】
つぎに、脱穀装置４の構成につき説明する。
【００１８】
扱胴７を内装軸架した扱室８の下半周部に沿って受網９を張設している。１０は扱室８の上方部を覆う扱胴カバ−であって、扱胴軸方向に平行な軸芯回りに揺動開閉可能に構成している。
【００１９】
扱室８の扱口側には穀稈を挟持搬送するフイ−ドチエン１１とこの上側に対設する挟持レ−ル１１ａを配設している。この挟持レ−ル１１ａは扱胴カバ−１０側に装着して該カバ−と共に揺動開閉する構成である。扱室８の終端側には多量のわら屑や未処理物を含む排塵処理物を下方に落下させる排塵口１２が設けらている。
【００２０】
扱室８の下側には揺動可能に架設した揺動選別装置１６を設け、更に、その下方には選別方向の上手側から順に、主唐箕１７と、１番移送螺旋１８と、２番移送螺旋１９と、その上方に吸引排塵フアン２０を設けて選別室を構成している。
【００２１】
なお、１番揚穀装置１８Ａは１番移送螺旋１８で回収された穀物を揚送してグレンタンク６内に収容する。また、２番揚穀装置１９Ａは２番移送螺旋１９で回収された２番物を２番処理胴２１ａ室内へ還元するようになっている。２１ｂは排塵処理胴を示す。
【００２２】
そして、前記揺動選別装置１６は、扱室からの脱穀処理後の処理物を受け入れて揺動移送しながらふるい選別する構成であり、選別方向上手側から移送棚２２、チャフ選別ネット（クリンプ網）２３、チャフシ−ブ２４、ストロ−ラック２５の順に配置し、且つ、前記チャフ選別ネット２３の始端側下方に１番戻し棚２６を、該ネット２３の終端側下方及び前記チャフシ−ブ２４の始端側下方に１番選別ネット２７を、更に該ネット２７の先端下方に１番選穀棚２８を配置して一体的に設け、前記唐箕１７及び吸引排塵フアン２０による選別風と揺動との共同作用によって扱室８から漏下してきた処理物を受け入れて揺動移送しながらふるい選別処理するように構成している。
【００２３】
前記移送棚２２は、扱室８の始端側下方より扱室の中間部下方にわたる位置に配設され、前記チャフ選別ネット２３は、移送棚２２とチャフシ−ブ２４との間に連設されており、つまり、チャフシ−ブ２４の始端側にあって、少なくとも扱室８の中間部下方に位置する該移送棚２２の終端部位から扱室終端の排塵口１２の下方に対応する部位までの一定範囲内にわたり上記クリンプ網状のチャフ選別ネット２３にて配置構成することにより、特に、前記排塵口１２からのわら屑の多い排塵処理物を受け入れて処理し、わら屑の漏下を少なくして１番選別が良好且つ効率よく行えるようにしている。また、該チャフ選別ネット２３は後端の送り終端側が低くなるよう下り傾斜姿勢に設けられている。なお、前記チャフシ−ブ２４は、複数枚の帯板状のシ−ブ板２４ａを等間隔に配置して上部を枢着２４ｂし、下部が円弧状の長孔２４ｃに沿って揺動開閉するようにして相互の選別間隔の開度調節ができる構成としている。
【００２４】
前記１番戻し棚２６は、特に図４に示すように、前記移送棚２２と一体構成の前部戻し棚部２６ａと、この前部戻し棚部２６ａの後端に取り付ける後部戻し棚部２６ｂとからなり、前部戻し棚部２６ａの後端と後部戻し棚部２６ｂの前端とをＬ型に折り曲げて両者を一体的に接合固着することにより、この折曲接合部２６ｃが後記する三次選別風路の選別風ガイドを兼ねることができる。１番選別ネット２７は、後端（先端）側が高位となるよう上り傾斜姿勢に設けられ、１番棚２９の後端に固着されている。該１番棚２９の前端には穀物逆流防止板２９ａが設けられている。
【００２５】
また、前記チャフ選別ネット２３と１番選別ネット２７との間で、且つ、前記排塵口１２に対応する下方部位には、選別間隔の開度調節が可能な選別制御シ−ブ３０を設けた構成としている。この選別制御シ−ブ３０は、複数枚の帯板状のシ−ブ板３０ａを等間隔に配置して下部を枢着３０ｂし、上部が円弧状の長孔３０ｃに沿って揺動開閉するようになっている。
【００２６】
前記主唐箕１７からの選別風は、上下の風割体３１，３２によって一次選別風路（主選別風路）Ａ、二次選別風路（副選別風路）Ｂ、三次選別風路（副選別風路）Ｃに沿って流通するように構成され、そして、一次選別風路Ａ内を流れる選別風は、主として１番選別ネット２７の網目及びチャフシ−ブ２４の選別間隔内を通過する構成であり、二次選別風路Ｂを流れる選別風は、１番選穀棚２８上に沿って流通すると共に、前記ストロ−ラック２５の選別間隔内を通じて上方に吹き抜ける構成である。また、三次選別風路Ｃは、ここを流れる選別風が主としてチャフ選別ネット２７の網目を通過するように構成されている。
【００２７】
また、前記１番戻し棚２６は、図５に示すように、先端をクリンプ網体Ｎにて構成しておけば、ここに選別風を通過させながらふるい選別することができ、選別能力の大幅アップを図ることができる。更に、図６に示すように、１番戻し棚２６の上面をラック状体Ｒに構成しておくことで、処理物の搬送能力及び分離能力をより高めることができる。
【００２８】
前記チャフシ−ブ２４及び選別制御シ−ブ３０は、独立的に開閉作動可能に構成してあり、各シ−ブ２４，３０を車速に同調して制御する構成としている。つまり、車速が高速になるにつれて車速センサＳの検出結果に基づき、シ−ブモ−タＭ１，Ｍ２の駆動によってシ−ブの開度が順次開き、逆に、車速が低速になると、車速センサＳの検出結果に基づき、シ−ブモ−タＭ１，Ｍ２の駆動によってシ−ブが順次閉じる方向に作動するよう連動構成している。従って、脱穀処理量に応じた選別制御が可能となり、選別性能の向上を図ることができる。
【００２９】
なお、図３において、排塵口１２の対応部位にはフルイ線３３が設けられ、更に、このフルイ線３３より排塵処理物を受け継いでさばきながら後方に送り出すラックフイン３４，３５が設けられ、前記揺動選別装置１６と一体的に揺動するよう装着されている。また、１番移送螺旋１８の受樋と２番移送螺旋１９の受樋との間の空間内には副唐箕４０が設置され、主としてこの選別風が前記ストロ−ラック２５に向けて吹き抜けるようになっている。
【００３０】
図９及び図１０に示す実施例について説明すると、ラックフイン３４，３５が排塵口１２の対応部位から更に後方に向けて突設され、大小傾斜角（θ１＞θ２）の異なるラックフイン、即ち、傾斜角θ１（大）のラックフイン３４と傾斜角θ２（小）のラックフイン３５が左右交互に配設されている。各ラックフイン３４，３５は、この基端側を排塵口１２対応部より前方で、網枠支持レ−ル３７の下方部に位置させた支持板３６に装着することにより、各フインの間隔内から下方への穀粒のふるい落下を容易にしている。また、支持板３６が網枠支持レ−ル３７の下方に位置しているため、わら屑や穀粒の滞留が少なくなる。
【００３１】
更に、ラックフイン３５の非送り側下面と、チャフシ−ブ２４の送り側上面との間隔αが後方側程順次広くなるように構成している。
【００３２】
排塵口１２からの排塵処理物は、ラックフイン３４，３５によって捌きながら速やかに後方へ送り出すことができ、傾斜角度の異なるラックフインが交互に配設されているため、わら屑の捌き効果が良くなり、穀粒とわら屑との分離を促進することができる。また、ラックフインの下面とチャフシ−ブの上面との間隔が後方側ほど順次広くなっているので、処理物の流れが円滑良好となり、詰まりなどの発生を防止することができる。
【００３３】
なお、図１０に示すように、ラックフイン３５は、吸引排塵フアン２０のケ−シング２０ａ内側方で吸引口２０ｂ近くまで後方に延出させた構成としている。従って、大きいわら屑を直接吸引排塵フアン内に吸い込ませることができ、揺動選別棚上への落下を少なくし、３番ロスを低減することができる。
【００３４】
図１１及び図１２に示す実施例では、数枚のラックフイン３５を排塵口１２の下方対応部位から吸引排塵フアン２０のケ−シング２０ａ内で吸引口２０ｂ近くまで後方に延出させ、しかも、各フインの高さが吸引側に近いものほど低く、それより遠くなるものほど高くなるように配設している。つまり、各ラックフイン３５は、吸引排塵フアン２０より遠い側のラックフイン３５ａが最も高く、フアン２０側に近くなるラックフイン３５ｂ，３５ｃ，３５ｄ〜３５ｋほど順次低くなるように並列配置している。従って、かかる構成により、排塵口からの大きいわら屑を直接吸引排塵フアン内に吸い込ませることができ、揺動選別棚上へのわら屑の落下を少なくして３番ロスの低減を図ることができる。また、排塵口から排出される処理物は吸引側とは反対側において多量に排出されるが、排塵処理物を後方に強制送りしながら捌き、しかも、吸引側に寄せながらふるい選別することができ、排出すべき排塵物を確実に吸塵処理することができる。
【００３５】
以上のように構成された刈取脱穀装置についてその作用を説明する。
【００３６】
まず、圃場の穀稈は、前進する機体の前部位置にある刈取部３によって刈取られ、上方に搬送されて、フィ−ドチエン１１に受け継がれてのち脱穀装置４に供給される。そして、穀稈は、株元をフィ−ドチエン１１に挾持されて搬送されながら穂先部分が扱室８内に供給されて、回転している扱胴７により脱穀作用を受ける。このようにして処理された脱穀処理物は、回転している扱胴７によって持ち回りされて、更に、脱粒処理作用を受け、受網９から漏下して選別室内の揺動選別装置１６に達し揺動選別作用を受ける。
【００３７】
この場合、扱室の始端側で脱穀処理された処理物は、移送棚２２上に落下して後方へ揺動移送されてチャフ選別ネット２３に達する。また、扱室中間部からの処理物及び扱室終端の排塵口１２からの排塵処理物は、直接チャフ選別ネット２３上に落下してここでふるい選別された後、なおも後方へ移送されてチャフシ−ブ２４に達し、チャフシ−ブ２４を構成している複数枚のシ−ブ板２４ａ…相互間にある選別間隔を漏下しながら風選作用を受ける。
【００３８】
チャフ選別ネット２３の網目から漏下するものは、唐箕１７からの風選作用を受けながら下方の１番戻し２６及び選別制御シ−ブ３０を経て１番選別ネット２７に達し、該１番選別ネット２７によりふるい選別されこの網目を漏下しながら風選作用を受ける。このとき、唐箕１７は、起風した選別風を選別室内に吹き込みながら選別し、吸引排塵フアン２０による吸引作用によって選別される。
【００３９】
このようにして、処理物は、揺動選別作用と選別風による風選作用との共同作用を受けながら選別されて、１番物（精粒）、２番物、排塵物とに選別分離され、１番物は１番選別ネット２７にてふるい選別された後、１番移送螺旋１８の受樋内に落下して収集されて機外に取り出されグレンタンク６内に収容される。２番物は２番移送螺旋１９から２番揚穀装置１９Ａによって揚穀されて２番処理胴２１ａの室内内に還元され再処理される。そして、排塵物は吸引排塵フアン２０によって吸塵され機外に排出されると共に、ストロ−ラック２５に達したわら屑は棚先から機外に排出される。
【図面の簡単な説明】
【００４０】
【図１】コンバインの側面図
【図２】脱穀機の要部の切断平面図
【図３】脱穀機の切断側面図
【図４】同上要部の切断側面図
【図５】揺動選別装置の要部の切断側面図
【図６】揺動選別装置の要部の切断側面図
【図７】制御ブロック図
【図８】フロ−チャ−ト
【図９】揺動選別装置の要部の切断側面図
【図１０】脱穀機の要部の切断平面図
【図１１】脱穀機の要部の切断側面図
【図１２】同上要部の平面図
【符号の説明】
【００４１】
４    脱穀装置（脱穀機）          ７    扱胴
８    扱室                        ９    受網
１２    排塵口                    １６    揺動選別装置
１７    主唐箕                    ２０    吸引排塵フアン
２２    移送棚                    ２３    チャフ選別ネット
２４    チャフシ−ブ              ２５    ストロ−ラック
２６    １番戻し棚                ２７    １番選別ネット
３０    選別制御シ−ブ
【図１】
2005229830.tif 000003
【図２】
2005229830.tif 000004
【図３】
2005229830.tif 000005
【図４】
2005229830.tif 000006
【図５】
2005229830.tif 000007
【図６】
2005229830.tif 000008
【図７】
2005229830.tif 000009
【図８】
2005229830.tif 000010
【図９】
2005229830.tif 000011
【図１０】
2005229830.tif 000012
【図１１】
2005229830.tif 000013
【図１２】
2005229830.tif 000014